(57)【要約】【課題】  災害時に頭部を素早く確実に保護できる鞄を提供する。【解決手段】  鞄１０は、収納対象物を収納するための収納部１１を有している。収納部１１は、長方形状の底板部１２を有し、底板部１２の一対の長辺部には、長方形状の対向する一対の側板部１３、１４が設けられ、側板部１３、１４の間には、長方形状の一対のマチ部１５、１６が設けられている。側板部１３に、使用者の両手でそれぞれ把持して収納部１１を頭部の上方に配置するための一対の把持部１７、１８が、頭部の上部を被覆しうる間隔寸法分離間して取り付けられている。【選択図】  図１
0003169672.tif 000002
【実用新案登録請求の範囲】
【請求項１】
対向する一対の側板部及びマチ部を有し、収納対象物を収納するための収納部を備えた鞄において、
前記収納部は、前記一対の側板部の少なくとも一方に、一対の把持部が使用者の頭部の上部を被覆しうる間隔寸法分離間して取り付けられたことを特徴とする鞄。
【請求項２】
前記一対の把持部が取り付けられた側板部には、前記一対の把持部を収納するためのポケット部が形成されたことを特徴とする請求項１に記載の鞄。
【請求項３】
前記側板部は平面長方形状に形成され、前記一対の把持部は、幅方向に沿うと共に長さ方向の両端部に互いに平行に取り付けられたことを特徴とする請求項２に記載の鞄。
【請求項４】
前記収納部は、該収納部を手で持ち運ぶための２つの取手部が前記一対の側板部の上端部にそれぞれ取り付けられたことを特徴とする請求項１に記載の鞄。
【考案の詳細な説明】
【技術分野】
【０００１】
本考案は、鞄に係り、特に、震災時、火災時等において頭部を被覆して頭部を護ることができる鞄に関する。
【背景技術】
【０００２】
一般的に、地震や火災等の災害時に頭部を落下物等から防護するために、防護ヘルメットや防災災頭巾が知られている。しかしながら、防護ヘルメットや防災頭巾は、常時携行するには大きくて嵩張るという問題があり、地震時に備えて外出の際に常に防護ヘルメットや防災頭巾を携帯することは難しい。
【０００３】
このため、災害時には、咄嗟に手持ちの鞄等で頭部を保護することが多いと考えられる。鞄等でも十分な防護性を発揮できることを考慮して、一対の持ち手部分に腕を通し、鞄本体で頭部を被覆することで、頭部を保護できる鞄が開示されている。また、鞄本体を拡開することで防災頭巾に変形できる鞄も開示されている。
【考案の開示】
【考案が解決しようとする課題】
【０００４】
しかしながら、上記の考案は、何れも、鞄本体を開いて頭部に被せるものであり、鞄本体に収納物が入ったままでは使用することがでない。従って、一旦、収納物を取り出してから、鞄本体を頭に被ることとなり、災害が起きてから、頭部を保護するまでの所要時間が長くなるおそれがある。このため、災害時のような急を要する事態において、咄嗟に対応することが難しい。
【０００５】
本考案は上記事案に鑑み、災害時に頭部を素早く確実に保護できる鞄を提供することを課題とする。
【課題を解決するための手段】
【０００６】
上記課題を解決するために、請求項１に記載した考案に係る鞄は、対向する一対の側板部及びマチ部を有し、収納対象物を収納するための収納部を備えた鞄において、前記収納部は、前記一対の側板部の少なくとも一方に、一対の把持部が使用者の頭部の上部を被覆しうる間隔寸法分離間して取り付けられたことを特徴とする。
【０００７】
従って、災害時に、収納対象物が収納部に入ったまま、把持部を取り出し両手でそれぞれ把持して鞄を持ち上げ、収納部を頭部の上方に素早く配置することができる。
【０００８】
また、請求項２に記載した考案に係る鞄は、前記一対の把持部が取り付けられた側板部に、前記一対の把持部を収納するためのポケット部が形成されたことを特徴とする。
【０００９】
従って、把持部を不使用時に、一対の把持部がむき出しにならないので、把持部が直接、障害物等に当たることがない。
【００１０】
更に、請求項３に記載した考案に係る鞄は、前記側板部は平面長方形状に形成され、前記一対の把持部は、幅方向に沿うと共に長さ方向の両端部に互いに平行に取り付けられたことを特徴とする。
【００１１】
従って、一対の把持部を両手で確実に把持し、より安定して収納部を頭部の上方に配置することができる。
【００１２】
また更に、請求項４に記載した考案に係る鞄は、前記収納部は、該収納部を手で持ち運ぶための２つの取手部が前記一対の側板部の上端部にそれぞれ取り付けられたことを特徴とする。
【００１３】
従って、収納部を容易に手で持ち運ぶことができる。
【考案の効果】
【００１４】
請求項１の考案にあっては、上記に構成されているので、災害時に、収納対象物が収納部に入ったまま、把持部を両手でそれぞれ把持して収納部を頭部の上方に配置することで、頭部の上部が収納部で被覆されるため、落下物等から頭部を素早く確実に保護することができる。
【００１５】
また、請求項２の考案にあっては、上記に構成されているので、把持部を不使用時に、一対の把持部がむき出しにならないので、把持部が直接、障害物等に当たることがないため、把持部の破損を抑制することができる。また、収納部を携帯する際に、把持部が邪魔になることがない。更に、側板部に把持部が形成されていても、全体の外観品質を損なうことがない。
【００１６】
更に、請求項３の考案にあっては、上記に構成されているので、一対の把持部を両手で確実に把持し、より安定して収納部を頭部の上方に配置することができるため、落下物等から確実に頭部の上部を保護することができる。
【００１７】
また更に、請求項４の考案にあっては、上記に構成されているので、収納部を容易に手で持ち運ぶことができるため、外出時に常時携帯することができる。
【図面の簡単な説明】
【００１８】
【図１】本考案を適用した実施形態の鞄を模式的に示す平面図である。
【考案を実施するための最良の形態】
【００１９】
以下、図面を参照して、本考案を適用した鞄の実施の形態について説明する。
【００２０】
（構成）
図１に示すように、本実施形態の鞄１０は、収納対象物を収納するための収納部１１を有している。
【００２１】
収納部１１は、全体略直方体に形成され、平面長方形状の底板部１２を有している。底板部１２の一対の長辺部には、それぞれ平面長方形状の対向する一対の側板部１３、１４が設けられている。側板部１３、１４の間には、平面長方形状の一対のマチ部１５、１６が設けられている。
【００２２】
収納部１１は、側板部１３に、使用者の両手でそれぞれ把持し収納部１１を頭部の上方に配置するための一対の把持部１７、１８が、頭部の上部を被覆しうる間隔寸法分離間して取り付けられている。すなわち、一対の把持部１７、１８が、側板部１３の幅方向に沿うと共に、側板部１３の長さ方向の両端部に互いに平行に取り付けられている。一対の把持部１７、１８が取り付けられた側板部１３の長さ方向の両端部には、一対の把持部１７、１８の全体をそれぞれ収納するためのポケット部１９、２０が形成されている。一対の把持部１７、１８は、不使用時にはポケット部１９、２０にそれぞれ収納することができ、使用時にはポケット部１９、２０から自由に取り出すことができる  。
【００２３】
収納部１１は、収納部１１を手で持ち運びするための２つの取手部２１、２２が側板部１３、１４の上端部の長さ方向略中央部に、それぞれ取り付けられている。
【００２４】
（作用）
次に、本実施形態の鞄１０の作用等について説明する。
【００２５】
本実施形態の鞄１０では、収納部１１は、側板部１３に、一対の把持部１７、１８が使用者の頭部の上部を被覆しうる間隔寸法分離間して取り付けられている。このため、災害時に、収納対象物が収納部に入ったまま、把持部１７、１８を取り出し両手でそれぞれ把持して鞄を持ち上げ、収納部の頭部の上方に素早く配置することができる。これにより、落下物等から頭部を素早く確実に保護することができる。
【００２６】
また、本実施形態の鞄１０では、一対の把持部１７、１８が取り付けられた側板部１３に、一対の把持部１７、１８を収納するためのポケット部が形成されている。このため、一対の把持部１７、１８を不使用時に、一対の把持部１７、１８がむき出しにならないので、把持部１７、１８が直接、障害物等に当たることがないため、把持部１７、１８の破損を抑制することができる。また、収納物１１を携帯する際に、把持部１７、１８が邪魔になることがない。更に、側板部１３に把持部１７、１８が形成されていても、鞄１０の全体の外観品質を損なうことがない。
【００２７】
更に、本実施形態の鞄１０では、側板部１３、１４が平面長方形状に形成され、一対の把持部１７、１８は、側板部１３の幅方向に沿うと共に長さ方向の両端部に互いに平行に取り付けられている。このため、一対の把持部１７、１８を両手で確実に把持し、より安定して収納部を頭部の上方に配置することができるため、落下物等から確実に頭部の上部を保護することができる。
【００２８】
また更に、本実施形態の鞄１０では、収納部１１が、収納部１１を手で持ち運ぶための２つの取手部２１、２２が一対の側板部１３、１４の上端部にそれぞれ取り付けられている。このため、収納部１１を容易に手で持ち運ぶことができるため、外出時に常時形態することができる。
【００２９】
なお、本実施形態では、収納部１１が全体略直方体に形成され、側板部１３、１４が平面長方形状に形成された例を示したが、収納部１１が収納対象物を収納できるだけの大きさであれば、本考案はこれに限定されるものではない。例えば、収納部１１が円柱状に形成され、側板部１３、１４が円形状に形成されていてもよい。
【００３０】
また、本実施形態では、一対の把持部１７、１８が側板部１３に形成された例を示したが、本考案はこれに限定されるものではなく、一対の側板部１３、１４の少なくとも一方に形成されていればよい。すなわち、一対の把持部１７、１８が側板部１４に形成されていてもよく、側板部１３、１４の両方にそれぞれ形成されていてもよい。
【００３１】
更に、本実施形態では、一対の把持部１７、１８が取り付けられた側板部１３に、一対の把持部１７、１８を収納するためのポケット部１９、２０を取り付ける例を示したが、本発明はこれに限定されるものではなく、ポケット部１９、２０が形成されていなくてもよい。一対の把持部１７、１８がポケット部１９、２０に収納されたことで、把持部１７、１８を不使用時に、把持部１７、１８がむき出しにならないので、把持部が直接障害物に当たることを抑制することができる。
【００３２】
また更に、本実施形態では、収納部１１に収納対象物が収納されたまま、収納部１１を頭部の上部に配置し保護できる旨を示したが、本考案はこれに限定されるものではなく、収納部１１に収納対象物が収納されているか否かに関わらず、同様の効果を発揮することができる。むしろ、収納部１１に収納対象物が収納されていると、収納部１１の強度が増し、より確実に頭部上方を保護するこができる。
【産業上の利用可能性】
【００３３】
本考案は、災害時に頭部を素早く確実に保護できる鞄を提供するものであるため、鞄の製造、販売に寄与するので、産業上の利用可能性を有する。
【符号の説明】
【００３４】
１０  鞄
１１  収納部
１２  底板部
１３  側板部
１４  側板部
１５  マチ部
１６  マチ部
１７  把持部
１８  把持部
１９  ポケット部
２０  ポケット部
２１  取手部
２２  取手部
【図１】
0003169672.tif 000003